(57)【要約】【課題】本発明は、敷き寝具の通気性が低減するのを防止する敷き寝具のカバーを提供することを目的とする。【解決手段】本発明に係る敷き寝具カバー１０は、側地に収納された敷き用寝具Ｂを被覆するためのカバーであって、上面に通気性に優れた敷き布素材よりなる敷き布部１１が形成され、上面以外の他面部１２はカバー地で形成されてなることを特徴とするものである。【選択図】  図２
2009297360.tif 000002
【特許請求の範囲】
【請求項１】
側地に収納された敷き用寝具を被覆するためのカバーであって、
上面に通気性に優れた敷き布素材よりなる敷き布部が形成され、上面以外の他面部はカバー地で形成されてなることを特徴とする敷き布一体型敷き寝具カバー。
【請求項２】
敷き布部と他面部とが着脱自在であることを特徴とする請求項１に記載の敷き布一体型敷き寝具カバー。
【発明の詳細な説明】
【技術分野】
【０００１】
本発明は、側地に収納されてなる敷き布団や寝具用マットなどの敷き寝具を被覆するためのカバーであって、特に通気性に優れた敷き布一体型敷き寝具カバーに関する。
【背景技術】
【０００２】
従来より側地に収納されてなる敷き布団や寝具用マットなどの敷き寝具は、これにカバーを被覆し、さらに敷き布で覆って使用されている。その理由は、敷き寝具自体を洗濯することは容易でないことによる。そのため、側地が汚損しないように、及び、中材が布団綿の場合に布団綿を構成する繊維が外部に飛散しないように、カバーにより被覆され、さらに該カバーができるだけ汚れないように着脱及び洗濯が容易で速乾性のある薄手の敷布で覆われていて、通常は敷き布のみを洗濯すればよいようになっている。
【０００３】
また、下記特許文献１に示されるように、寝具用マットの通気性に優れた中材として三次元的にジグザグ状に屈曲した合成樹脂製の弾性線材よりなる繊維集合体が使用されており、この中材も側地に収納され、上記と同様にカバーで被覆され、敷布で覆われて使用されている。
【特許文献１】特開２００５-３１２７６５号
【発明の開示】
【発明が解決しようとする課題】
【０００４】
しかしながら、側地に収納された敷き寝具をカバーで覆うと、敷き寝具の通気性が損なわれ、敷き寝具の内部が蒸れる結果、寝苦しくなる欠点があった。特に、通気性に優れた中材を使用しても、同様に通気性が損なわれ、その効果が低減しているのが実情である。
【０００５】
本発明は、上記した実情に鑑み、敷き寝具の通気性が低減するのを防止する敷き寝具のカバーを提供することを目的とする。
【課題を解決するための手段】
【０００６】
本発明に係る敷き布一体型敷き寝具カバーは、側地に収納された敷き用寝具を被覆するためのカバーであって、上面に通気性に優れた敷き布素材よりなる敷き布部が形成され、上面以外の他面部はカバー地で形成されてなることを特徴とするものである。また、前記の構成において、敷き布部と他面部とが着脱自在である構成としてもよい。
【０００７】
上記のように構成することにより、カバーの上面における敷き布部は通気性が良好となる。また、敷き布部のみを取り外すことも可能となる。
【発明の効果】
【０００８】
本発明に係る敷き布一体型敷き寝具カバーは、上記のように構成したので、敷き寝具の通気性を損なわない効果があり、通気性が優れた中材を使用した場合にはその中材の優れた通気性を十分に発揮できる利点がある。また、敷き布部を容易に取り外すことができるので、敷き布部のみを取り外して、洗濯することができる利点があり、また、取り替えが可能となる利点があり、さらに敷き布部を取り外すと敷き布一体型敷き寝具カバーが大きく開口するので、敷き寝具を敷き布一体型敷き寝具カバーから取り出したり、収納したりするのに便利である。
【発明を実施するための最良の形態】
【０００９】
以下、本発明に係る敷き布一体型敷き寝具カバー（以下、単に「カバー」という。）について、添付の図面に基づいて詳細に説明する。
【実施例１】
【００１０】
図１は実施例１のカバーにより被覆された寝具用マットの概略斜視図であり、図２は実施例１のカバーにより被覆された寝具用マットの一部概略断面図である。
【００１１】
図１において、Ａは、中材Ｂをカバー１０で被覆した寝具用マットを示しており、中材Ｂは、ポリエステル等の合成繊維よりなる弾性線材を三次元的にジグザグ状に屈曲させて形成した繊維集合体に通気性の良い他の表層材等を積層したマット材を側地で被覆して形成したものであり、通気性に優れたものである。
【００１２】
カバー１０は、その上面の敷き布部１１と、上面以外の他面部１２、すなわち側部４面及び下面のカバー地とを一体に縫着したものであって、長手方向の側面にスライドファスナー１３が設けられており、スライドファスナー１３を開閉することにより、中材Ｂの出し入れが可能になっている。敷き布部１１は、ガーゼ地やタオル地等の通気性に優れた一般に使用される敷き布素材よりなる。他面部１２は、高密度の織地等の一般に使用されるカバー地よりなる。
【００１３】
上記のように構成したことにより、寝具用マットＡは、上面の敷き布部１１が通気性が良好であるため、その中材Ｂの通気性を損なうことがなく、したがって、中材Ｂが蒸れるようなことがなく、快適な睡眠が得られる。
【００１４】
なお、本実施例においては、中材として通気性が優れたマット材を使用しているが、これに限られるものではなく、他のマット材を使用してもよく、また、綿、ポリエステルあるいは羊毛などの布団綿を使用した中材であってもよく、このカバーを使用すれば、同様の通気性を発揮し、中材が蒸れることがないので、快適な睡眠が得られる。
【実施例２】
【００１５】
図３は実施例２のカバーにより被覆された寝具用マットの概略斜視図であり、図４は実施例２のカバーにより被覆された寝具用マットの一部概略断面図である。
【００１６】
図３において、Ａ’は、中材Ｂ’をカバー２０で被覆した寝具用マットを示しており、中材Ｂ’は、ポリエステル等の合成繊維よりなる弾性線材を三次元的にジグザグ状に屈曲させて形成した繊維集合体に通気性の良い他の表層材等を積層したマット材を側地で被覆して形成したものであり、通気性に優れたものである。
【００１７】
カバー２０は、その上面の敷き布部２１と、上面以外の他面部２２、すなわち側部４面及び下面のカバー地とからなる。前記敷き布部２１は、寝具用マットＡ’の上面よりややはみ出すように大きく形成されており、このはみ出し部２１ａはカバー２０により中材Ｂ’を被覆したときには、寝具用マットＡ’の側面に垂れ下がる状態となる。また、他面部２２は、側部４面の上端を内方に折り曲げて形成した枠状のフランジ部２２ａが延設されている。そして、このフランジ部に連結具として雄側のホック２２ｂが適宜間隔をおいて配設されている。また、敷き布部２１には、前記ホック２２ｂに対応する位置に雌側のホック２１ｂが配設されていて、ホック２２ｂとホック２１ｂとを連結することにより、敷き布部２１と他面部２２とが一体になるようになっており、ホック２２ｂとホック２１ｂとの連結を外すと、他面部２２から敷き布部２１を取り外すことが可能となっている。また、敷き布部２１を取り外すと、カバー２０の上面が大きく開口するので、この開口部から中材Ｂの出し入れが可能になっている。敷き布部２１は、ガーゼ地やタオル地等の通気性に優れた一般に使用される敷き布素材よりなる。他面部２２は、高密度の織地等の一般に使用されるカバー地よりなる。
【００１８】
上記のように構成したことにより、寝具用マットＡは、上面の敷き布部１１が通気性が良好であるため、その中材Ｂの通気性を損なうことがなく、したがって、中材Ｂが蒸れるようなことがなく、快適な睡眠が得られる。また、カバー２０から敷き布部２１を取り外すことが可能であるため、取り外した敷き布部２１を随時洗濯することができる利点があり、清潔さを維持することが容易である。
【００１９】
なお、本実施例においては、中材として通気性が優れたマット材を使用しているが、これに限られるものではなく、他のマット材を使用してもよく、また、綿、ポリエステルあるいは羊毛などの布団綿を使用した中材であってもよく、このカバーを使用すれば、同様の通気性を発揮し、中材が蒸れることがないので、快適な睡眠が得られる。
【図面の簡単な説明】
【００２０】
【図１】本発明の実施例１に係る敷き寝具カバーにより被覆された寝具用マットの概略斜視図である。
【図２】本発明の実施例１に係る敷き寝具カバーにより被覆された寝具用マットの一部概略断面図である。
【図３】本発明の実施例２に係る敷き寝具カバーにより被覆された寝具用マットの概略斜視図である。
【図４】本発明の実施例２に係る敷き寝具カバーにより被覆された寝具用マットの一部概略断面図である。
【符号の説明】
【００２１】
Ａ・・・寝具用マット
Ｂ・・・中材
１０・・敷き寝具カバー
１１・・敷き布部
１２・・他面部
１３・・スライドファスナー
Ａ’・・寝具用マット
Ｂ’・・中材
２０・・敷き寝具カバー
２１・・敷き布部
２１ａ・はみ出し部
２１ｂ・雌側のホック
２２・・他面部
２２ａ・フランジ部
２２ｂ・雄側のホック
【図１】
2009297360.tif 000003
【図２】
2009297360.tif 000004
【図３】
2009297360.tif 000005
【図４】
2009297360.tif 000006